(57)【特許請求の範囲】
【請求項１】
軸方向に貫通する１対の貫通孔が設けられた回転子と、
１対の給電ピンが口金から突出する直管形ランプが挿入される開口部と、前記回転子が取り付けられ、前記回転子の回転を案内する案内部とが設けられたソケット本体と
を備え、
前記１対の貫通孔が前記回転子の周方向において所定の位置にある状態で前記開口部に前記直管形ランプの口金が挿入された場合、前記１対の給電ピンが前記１対の貫通孔に挿入され、
前記１対の給電ピンが前記１対の貫通孔に挿入された状態で前記直管形ランプが回転された場合、前記１対の給電ピンにより前記１対の貫通孔の内周面が押圧されることで前記回転子が回転し、
前記回転子と前記案内部との互いに対向する面のうち、一方の面には１対の凸部が設けられ、他方の面には前記１対の貫通孔が前記所定の位置以外の位置にある状態で各１対が前記１対の凸部と嵌合可能な複数対の凹部が設けられ、
前記回転子が回転して前記１対の凸部が前記複数対の凹部のうちいずれか１対の凹部と対向する位置にきた場合、前記１対の凸部と当該１対の凹部とが嵌合することで前記回転子が周方向において位置決めされ、
前記回転子の軸方向に沿って一端から途中まで切り欠かれた切欠部が、前記回転子の周方向における前記１対の貫通孔と異なる位置に設けられ、前記回転子の回転中に前記１対の凸部が前記案内部により押圧されることで生じる前記回転子の弾性変形を吸収することを特徴とするランプソケット。
【請求項２】
前記ランプソケットは、さらに、
前記回転子の周方向に沿って円弧状に湾曲する湾曲部と、外部電源に電気接続される端子部とが一体に設けられ、互いに所定の間隙を空けて対向するように前記ソケット本体の内側に取り付けられた１対の導電金具
を備え、
前記所定の位置は、前記１対の貫通孔が前記回転子の軸方向から見て前記所定の間隙と重なる位置であり、
前記１対の貫通孔が前記回転子の周方向において前記所定の位置にある状態で前記開口部に前記直管形ランプの口金が挿入された場合、前記１対の給電ピンが前記１対の貫通孔に挿入されて前記所定の間隙内に達し、
前記１対の給電ピンが前記所定の間隙内に達した状態で前記直管形ランプが回転された場合、前記回転子が回転して前記１対の給電ピンが前記湾曲部に接触することで前記１対の給電ピンが前記端子部と電気接続されることを特徴とする請求項１のランプソケット。
【請求項３】
前記１対の給電ピンが前記所定の間隙内に達した状態で前記直管形ランプが回転された場合、前記回転子が回転して前記１対の給電ピンの側面が前記湾曲部に接触することで前記１対の給電ピンが前記端子部と電気接続されることを特徴とする請求項２のランプソケット。
【請求項４】
前記１対の給電ピンが前記所定の間隙内に達した状態で前記直管形ランプが回転された場合、前記回転子が回転して前記１対の給電ピンの先端が前記湾曲部に接触することで前記１対の給電ピンが前記端子部と電気接続されることを特徴とする請求項２のランプソケット。
【請求項５】
請求項１から４のいずれかのランプソケットと、
前記ランプソケットが取り付けられる器具本体と、
前記器具本体に収容される点灯装置であり、前記ランプソケットに装着される直管形ランプを点灯させる点灯装置と
を備えることを特徴とする照明器具。
【発明の詳細な説明】
【技術分野】
【０００１】
本発明は、ランプソケット及び照明器具に関するものである。
【背景技術】
【０００２】
昨今、直管蛍光ランプの代替として直管ＬＥＤランプが販売されている。しかし、管の全周が発光する直管蛍光ランプと異なり、直管ＬＥＤランプの照射面は比較的指向性が強く、照明器具への装着後は限られた範囲しか照射できない不都合が生じる。
【０００３】
従来、直管ＬＥＤランプの内部構造において、管と口金部を電線で接続し、照明器具への装着後に管を回転させることで照射面を動かせるものがある（例えば、特許文献１参照）。
【０００４】
また、従来、直管蛍光ランプを装着するランプソケットとして、ソケット本体の上面側からランプ保持位置まで通じるランプピン挿入部を有するものがある（例えば、特許文献２参照）。このランプソケットのランプピン挿入部に直管蛍光ランプのランプピンを挿入し、その後、直管蛍光ランプを回転させると、ランプピンとソケット内部にある導電金具が接続され、直管蛍光ランプが発光する。
【先行技術文献】
【特許文献】
【０００５】
【特許文献１】国際公開第２００９／１５４１６２号
【特許文献２】特開２００６−１８５７８７号公報
【発明の概要】
【発明が解決しようとする課題】
【０００６】
特許文献１では、直管ＬＥＤランプの口金部と管の間に回転機構を有しているため、専用の直管ＬＥＤランプの創作が必須である。また、直管ＬＥＤランプを装着するランプソケットとしては、ランプの軸方向に押し込んで装着する構造のランプソケットしか使用できないため、制約が多く、使用者に対し不都合が生じる。また、直管ＬＥＤランプを回転させたときに、口金部と管を接続する電線がねじれるため、品質面や安全面で課題がある。
【０００７】
特許文献２では、ソケット上面から直管ランプをランプ保持位置まで回転させて取り付けるが、使用者が中途半端な位置で直管ランプを取り付けた場合、振動等が影響して直管ランプが落下するおそれがある。
【０００８】
本発明は、例えば、装着した直管形ランプを回転させて周方向の向きを段階的に調節可能なランプソケットを提供することを目的とする。
【課題を解決するための手段】
【０００９】
本発明の一の態様に係るランプソケットは、
軸方向に貫通する１対の貫通孔が設けられた回転子と、
１対の給電ピンが口金から突出する直管形ランプが挿入される開口部と、前記回転子が取り付けられ、前記回転子の回転を案内する案内部とが設けられたソケット本体と
を備え、
前記１対の貫通孔が前記回転子の周方向において所定の位置にある状態で前記開口部に前記直管形ランプの口金が挿入された場合、前記１対の給電ピンが前記１対の貫通孔に挿入され、
前記１対の給電ピンが前記１対の貫通孔に挿入された状態で前記直管形ランプが回転された場合、前記１対の給電ピンにより前記１対の貫通孔の内周面が押圧されることで前記回転子が回転し、
前記回転子と前記案内部との互いに対向する面のうち、一方の面には１対の凸部が設けられ、他方の面には前記１対の貫通孔が前記所定の位置以外の位置にある状態で各１対が前記１対の凸部と嵌合可能な複数対の凹部が設けられ、
前記回転子が回転して前記１対の凸部が前記複数対の凹部のうちいずれか１対の凹部と対向する位置にきた場合、前記１対の凸部と当該１対の凹部とが嵌合することで前記回転子が周方向において位置決めされる。
【発明の効果】
【００１０】
本発明の一の態様によれば、ランプソケットに装着した直管形ランプを回転させて周方向の向きを段階的に調節することができる。
【図面の簡単な説明】
【００１１】
【図１】実施の形態１に係る照明器具の斜視図。
【図２】実施の形態１に係る直管形ＬＥＤランプの部分拡大斜視図。
【図３】実施の形態１に係る直管形ＬＥＤランプの部分拡大斜視図。
【図４】実施の形態１に係る給電側ソケットの分解斜視図。
【図５】実施の形態１に係る給電側ソケットのソケットカバーを除いた背面図。
【図６】実施の形態１に係る直管形ＬＥＤランプがランプ円周方向へ回転する際の給電側ソケットの状態を示す正面図。
【図７】実施の形態１に係る給電ピンと導電金具との接続状態を示す部分断面図。
【図８】実施の形態２に係る給電側ソケットの分解斜視図。
【図９】実施の形態２に係る給電側ソケットのソケットカバーを除いた背面図。
【図１０】実施の形態２に係る給電ピンと導電金具との接続状態を示す部分断面図。
【発明を実施するための形態】
【００１２】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る照明器具１０の斜視図である。
【００１４】
照明器具１０は、器具本体１１、接地側ソケット１２、給電側ソケット３０を備えており、１本の直管形ＬＥＤランプ２０を接地側ソケット１２及び給電側ソケット３０に装着して使用される。また、照明器具１０は、図示していないが、直管形ＬＥＤランプ２０を点灯させる点灯装置を備える。点灯装置は、器具本体１１に収容される。照明器具１０は、例えば天井に設置される。接地側ソケット１２は、器具本体１１の長手方向の一端側に取り付けられる。給電側ソケット３０は、器具本体１１の長手方向の他端側に取り付けられる。
【００１５】
なお、照明器具１０は、２本以上の直管形ＬＥＤランプ２０を取り付けて使用されるものであってもよい。また、照明器具１０は、直管形ＬＥＤランプ２０の配光を制御するための反射板を備えていてもよい。反射板は、例えば器具本体１１に装着される。
【００１６】
図２は、直管形ＬＥＤランプ２０の一端部を拡大した、直管形ＬＥＤランプ２０の部分拡大斜視図である。図３は、直管形ＬＥＤランプ２０の他端部を拡大した、直管形ＬＥＤランプ２０の部分拡大斜視図である。
【００１７】
直管形ＬＥＤランプ２０は、直管形状であるが、従来の直管蛍光灯の口金Ｇ１３を使用した直管ＬＥＤランプと異なり、１つのランプに２種類の口金が設けられたものである。
【００１８】
一方の口金は、接地側口金２１で、端面のランプ受部２２の中心に接地ピン２３が設けられている。接地ピン２３は、Ｔ字状をしており、円柱部２３ａと楕円部２３ｂとで構成されている。楕円部２３ｂの短径は、円柱部２３ａの直径より大きくなっている。接地ピン２３は、直管形ＬＥＤランプ２０の放熱フィン等の金属部と接続されている。接地側口金２１は、照明器具１０の接地側ソケット１２に着脱可能に取り付けられる。
【００１９】
他方の口金は、給電側口金２４で、端面に凸状をしたランプ引っ掛け部２５が設けられている。ランプ引っ掛け部２５には、ランプ軸方向に延びている１対の給電ピン２６が備えられている。給電ピン２６は、外向きのＬ字状をしており、ランプ軸方向に延びる軸部２６ａと軸部２６ａの先端からランプ引っ掛け部２５の平行方向の外側に延びる抜け止め部２６ｂとで構成されている。給電側口金２４は、照明器具１０の給電側ソケット３０に着脱可能に取り付けられる。給電側口金２４が給電側ソケット３０に取り付けられると、給電側ソケット３０から給電側口金２４を介して直管形ＬＥＤランプ２０の内部の基板等に実装されたＬＥＤに電力が供給され、ＬＥＤが点灯可能になる。
【００２０】
このように、本実施の形態では、直管形ＬＥＤランプ２０が一方と他方で異なる口金をもち、一方の口金は直管形ＬＥＤランプ２０の給電を目的としたもの（接地側口金２１）で、他方の口金は直管形ＬＥＤランプ２０の金属部と照明器具１０との接続を目的としたもの（給電側口金２４）となっている。このような直管形ＬＥＤランプ２０としては、例えば、今後主流となり得る日本電球工業会規格の「Ｌ形ピン口金ＧＸ１６ｔ−５付直管形ＬＥＤランプシステム」を用いることができる。なお、直管形ＬＥＤランプ２０としては、その他の従来の直管ＬＥＤランプを用いてもよい。また、１対の給電ピンが口金から突出するものであれば、直管形ＬＥＤランプ２０に代えて、ＬＥＤ以外の発光体（例えば、有機ＥＬ）により発光する直管形ランプを用いてもよい。
【００２１】
図４は、給電側ソケット３０の分解斜視図である。図５は、給電側ソケット３０のソケットカバー６０を除いた背面図である。
【００２２】
給電側ソケット３０は、ソケット本体３１、回転子４０、１対の導電金具５０、ソケットカバー６０を備えている。ソケット本体３１には、開口部３２が設けられている。回転子４０は、ソケット本体３１の開口部３２に嵌るように配置され、回動自在に収容される。回転子４０には、直管形ＬＥＤランプ２０の給電ピン２６が挿入可能なピン挿入孔４３が１対設けられている。導電金具５０は、回転子４０の外側に配置され、給電ピン２６が直管形ＬＥＤランプ２０の円周方向に回転されたときに、給電ピン２６と接続される。ソケットカバー６０は、回転子４０を保持し、また、ソケット本体３１を被蓋する。
【００２３】
ソケット本体３１には、所望のランプ保持位置を中心とした略円孔の開口部３２が設けられている。ソケット本体３１の内部には、開口部３２より大きい径の案内リブ３３が設けられている。案内リブ３３には、少なくとも４箇所以上で固定溝３４が形成されている。固定溝３４は、開口部３２の中心をまたいで対峙する箇所にそれぞれ設けられている。具体的には、図５のようにランプ保持位置を中心に３０度ずつ、計１２個の固定溝３４が設けられている。ソケット本体３１の内壁には、１対の取付部３５が備えられている。
【００２４】
回転子４０は、ランプ挿入方向に延びる円筒部４１と、ソケット本体３１の開口部３２より大きな略円盤状であり、円筒部４１が立設する受部４２とからなる。受部４２には、給電ピン２６の抜け止め部２６ｂの先端面より大きな孔であるピン挿入孔４３が設けられている。また、受部４２は、受部４２の周方向における位置がピン挿入孔４３と略同じで受部４２の径方向における位置がピン挿入孔４３より外側になるように受部４２の外周部から径方向外側に突出した１対の凸部４４を備える。凸部４４（特に、その先端部）間の距離Ｄ１は、ソケット本体３１の案内リブ３３の対峙する部分（固定溝３４がない部分に限る）間の距離Ｄ２（即ち、案内リブ３３の内径）より長い。回転子４０には、受部４２の周方向においてピン挿入孔４３より略９０度の位置（ピン挿入孔４３の位置を０度及び１８０度とすると、９０度及び２７０度の位置又はその付近）で受部４２を二分するように受部４２の外周側から円筒部４１の途中まで連続して切り欠かれた切欠部４５が設けられている。切欠部４５の幅Ｄ３は、凸部４４間の距離Ｄ１から案内リブ３３の対峙する部分間の距離Ｄ２を引いた長さより若干大きい。そのため、後述するように直管形ＬＥＤランプ２０がランプ円周方向へ回転することに伴って回転子４０が回転する際、凸部４４が案内リブ３３により押圧されることで生じる回転子４０の弾性変形を切欠部４５で吸収することができる。
【００２５】
導電金具５０は、図５のように回転子４０の円筒部４１の延びる方向に延在し、円筒部４１の外周に沿って湾曲する円弧状の面であるピン側面接触部５１と、給電側ソケット３０の外部にある電子安定器等の電源出力部と電線を介して接続する速結端子５２とを有する。ピン側面接触部５１の径は直管形ＬＥＤランプ２０の給電ピン２６のピンピッチより狭い。そのため、後述するように直管形ＬＥＤランプ２０がランプ円周方向へ回転する際に、ピン側面接触部５１が給電ピン２６の軸部２６ａの外側面に接触して給電ピン２６と接続される。
【００２６】
ソケットカバー６０は、回転子４０と１対の導電金具５０とを保持する。ソケットカバー６０は、ソケット本体３１の内壁にある１対の取付部３５と相対して嵌合する１対の爪部６１を備える。
【００２７】
図６は、直管形ＬＥＤランプ２０がランプ円周方向へ回転する際の給電側ソケット３０の状態を示す正面図である。なお、この図において直管形ＬＥＤランプ２０は図示していない。図７は、給電ピン２６と導電金具５０との接続状態を示す部分断面図である。
【００２８】
図６において、（ａ）は、直管形ＬＥＤランプ２０をソケット本体３１の開口部３２に挿入するときの状態、即ち、回転子４０が回転する前の（０度回転した）状態である。（ｂ）は、直管形ＬＥＤランプ２０を回転子４０ごと３０度回転したときの状態、即ち、回転子４０が３０度回転した状態である。（ｃ）は、直管形ＬＥＤランプ２０を回転子４０ごと６０度回転したときの状態、即ち、回転子４０が６０度回転した状態である。（ｄ）は、直管形ＬＥＤランプ２０を回転子４０ごと９０度回転したときの状態、即ち、回転子４０が９０度回転した状態である。
【００２９】
（ａ）の状態では給電ピン２６がピン挿入孔４３に挿入されても導電金具５０と接続されず（ピン側面接触部５１に接触しない）、（ｂ）〜（ｄ）の状態で給電ピン２６と導電金具５０とが接続される（給電ピン２６がピン側面接触部５１に接触する）。
【００３０】
直管形ＬＥＤランプ２０を給電側ソケット３０へ装着する場合、（ａ）のように、回転子４０のピン挿入孔４３がソケット本体３１の高さ方向と平行の向きに並ぶように回転子４０の周方向位置を調整する必要がある。（ｂ）〜（ｄ）のようにピン挿入孔４３がソケット本体３１の高さ方向と平行の向きに並んでいない場合、給電ピン２６の抜け止め部２６ｂが導電金具５０の前面５０ａに当たるため、給電ピン２６をピン挿入孔４３へ挿入することができない（即ち、給電ピン２６がピン挿入孔４３を貫通しない）。よって、（ｂ）〜（ｄ）の状態では直管形ＬＥＤランプ２０を給電側ソケット３０へ装着することができない。
【００３１】
直管形ＬＥＤランプ２０を給電側ソケット３０から取り外す場合も、（ａ）のように、回転子４０のピン挿入孔４３がソケット本体３１の高さ方向と平行の向きに並ぶように回転子４０の周方向位置を調整する必要がある。（ｂ）〜（ｄ）のようにピン挿入孔４３がソケット本体３１の高さ方向と平行の向きに並んでいない場合、給電ピン２６の抜け止め部２６ｂが導電金具５０の後面５０ｂに引っ掛かるため、給電ピン２６をピン挿入孔４３から抜くことができない。よって、（ｂ）〜（ｄ）の状態では直管形ＬＥＤランプ２０を給電側ソケット３０から取り外すことができない。
【００３２】
直管形ＬＥＤランプ２０を給電側ソケット３０へ装着しても、（ａ）の状態のままでは、給電ピン２６がソケット本体３１の内部に配置された導電金具５０と接続されないため、直管形ＬＥＤランプ２０は点灯しない。
【００３３】
（ａ）の状態で直管形ＬＥＤランプ２０をランプ円周方向へ回転させると、回転子４０の凸部４４がソケット本体３１の案内リブ３３を通過（摺動）するが、前述した通り、凸部４４間の距離Ｄ１が案内リブ３３の対峙する部分間の距離Ｄ２より長いため、回転子４０が切欠部４５の幅を狭める形で弾性変形する。このとき、図７のように給電ピン２６の軸部２６ａの外側面と導電金具５０のピン側面接触部５１とが接触し、直管形ＬＥＤランプ２０が点灯可能となる。なお、前述した通り、ピン側面接触部５１の径が給電ピン２６のピンピッチより狭いため、ピン側面接触部５１は給電ピン２６を円弧の中心方向へ押して接触することになる。その後、回転子４０の凸部４４がソケット本体３１の固定溝３４に到達（嵌合）すると、回転子４０の弾性変形がなくなり、回転子４０が（ｂ）の状態で位置決めされる。そのため、使用者は適度なクリック感を得ることができる。
【００３４】
（ｂ）の状態で直管形ＬＥＤランプ２０をランプ円周方向へ回転させて回転子４０が（ｃ）の状態で位置決めされる場合や、（ｃ）の状態で直管形ＬＥＤランプ２０をランプ円周方向へ回転させて回転子４０が（ｄ）の状態で位置決めされる場合についても、上記と同様である。
【００３５】
以上説明したように、本実施の形態において、給電側ソケット３０（ランプソケットの例）は、回転子４０、ソケット本体３１を備える。回転子４０には、その軸方向に貫通する１対のピン挿入孔４３（貫通孔の例）が設けられる。ソケット本体３１には、１対の給電ピン２６が給電側口金２４（口金の例）から突出する直管形ＬＥＤランプ２０（直管形ランプの例）が挿入される開口部３２が設けられる。また、ソケット本体３１には、回転子４０が取り付けられ、回転子４０の回転を案内する案内リブ３３（案内部の例）が設けられる。回転子４０と案内リブ３３との互いに対向する面（即ち、回転子４０の外周面及び案内リブ３３の内周面）のうち、一方の面（本実施の形態では、回転子４０の外周面であるが、案内リブ３３の内周面でもよい）には、１対の凸部４４が設けられる。他方の面（本実施の形態では、案内リブ３３の内周面であるが、回転子４０の外周面でもよい）には、１対のピン挿入孔４３が所定の位置以外の位置にある状態で各１対が１対の凸部４４と嵌合可能な複数対の固定溝３４（凹部の例）が設けられる。ここで、所定の位置とは、直管形ＬＥＤランプ２０の１対の給電ピン２６を１対のピン挿入孔４３に挿入できる位置のことである。本実施の形態では、図６の（ａ）の状態におけるピン挿入孔４３の位置が「所定の位置」に相当する。そして、図６の（ｂ）〜（ｄ）の状態におけるピン挿入孔４３の位置が「所定の位置以外の位置」に相当する。
【００３６】
１対のピン挿入孔４３が回転子４０の周方向において所定の位置にある状態で開口部３２に直管形ＬＥＤランプ２０の給電側口金２４が挿入された場合、１対の給電ピン２６が１対のピン挿入孔４３に挿入される。この状態で直管形ＬＥＤランプ２０が回転された場合、１対の給電ピン２６により１対のピン挿入孔４３の内周面が押圧されることで回転子４０が回転する。そして、１対の凸部４４が複数対の固定溝３４のうちいずれか１対の固定溝３４と対向する位置にきた場合、１対の凸部４４と当該１対の固定溝３４とが嵌合することで回転子４０が周方向において位置決めされる。
【００３７】
なお、本実施の形態では、６対の固定溝３４が、それぞれ回転子４０の周方向において略３０度ずつずれた位置に設けられているが、固定溝３４の対の数や位置は適宜変更して構わない。また、本実施の形態では、６対の固定溝３４として、１対のピン挿入孔４３が「所定の位置以外の位置」にある状態で１対の凸部４４と嵌合可能な５対の固定溝３４と、１対のピン挿入孔４３が「所定の位置」にある状態で１対の凸部４４と嵌合可能な１対の固定溝３４とが設けられている。前者の固定溝３４（５対の固定溝３４）は２対以上あればよい。また、後者の固定溝３４（１対の固定溝３４）は必須ではないが、これがあることで、ピン挿入孔４３の位置が所定の位置にある状態においても回転子４０を位置決めすることができる。
【００３８】
本実施の形態において、給電側ソケット３０は、さらに、１対の導電金具５０を備える。それぞれの導電金具５０には、回転子４０の周方向に沿って円弧状に湾曲するピン側面接触部５１（湾曲部の例）と、外部電源に電気的に接続される速結端子５２（端子部の例）とが一体に設けられる。１対の導電金具５０は、図５に示したように、互いに所定の間隙Ｇを空けて対向するようにソケット本体３１の内側に取り付けられる。本実施の形態では、１対のピン挿入孔４３が回転子４０の軸方向において所定の間隙Ｇと重なる位置が所定の位置に相当する。
【００３９】
１対のピン挿入孔４３が回転子４０の周方向において所定の位置にある状態で開口部３２に直管形ＬＥＤランプ２０の給電側口金２４が挿入された場合、１対の給電ピン２６が１対のピン挿入孔４３に挿入されて所定の間隙Ｇ内に達する。この状態で直管形ＬＥＤランプ２０が回転された場合、回転子４０が回転して１対の給電ピン２６の側面がピン側面接触部５１に接触することで１対の給電ピン２６が速結端子５２と（さらに、速結端子５２を介して外部電源と）電気的に接続される。これにより、直管形ＬＥＤランプ２０が点灯可能となる。
【００４０】
本実施の形態によれば、汎用の直管形ＬＥＤランプ２０が使用できるため、有用性が高い。また、直管形ＬＥＤランプ２０をどのような向きに回転させても、直管形ＬＥＤランプ２０の内部構造に変化（内部の電線のねじれ等）を与えることなく、直管形ＬＥＤランプ２０が点灯可能であるため、安全性が高い。また、直管形ＬＥＤランプ２０をどのような向きに回転させても、直管形ＬＥＤランプ２０の給電ピン２６が導電金具５０のピン側面接触部５１に確実に接触するため、信頼性が高い。また、直管形ＬＥＤランプ２０を任意の周方向位置で位置決めでき、さらに、直管形ＬＥＤランプ２０が接地側ソケット１２によっても保持されるため、直管形ＬＥＤランプ２０の落下を防止できる。なお、接地側ソケット１２及び給電側ソケット３０の間の距離は、直管形ＬＥＤランプ２０の長さと略等しくなっている。接地側ソケット１２の受金部は、接地側ソケット１２の内部に摺動可能な構造となっており、この受金部が摺動することによって、直管形ＬＥＤランプ２０の着脱が行えるようになっている。つまり、接地側ソケット１２の受金部の摺動によって、直管形ＬＥＤランプ２０の抜けや落下の防止が確実にできる。
【００４１】
ここで、給電側ソケット３０の組み立て方法の概略を説明する。
【００４２】
ソケット本体３１の案内リブ３３と回転子４０を当接させ、且つ、回転子４０の凸部４４をソケット本体３１の固定溝３４へ嵌合させる。このとき、回転子４０の凸部４４を嵌合させる固定溝３４は、任意の固定溝３４でよいが、回転子４０のピン挿入孔４３がソケット本体３１の高さ方向と平行に並ぶようになるものが望ましい。そうしておけば、組み立て後の給電側ソケット３０に直管形ＬＥＤランプ２０の給電側口金２４を直ちに挿入することができる。
【００４３】
その後、１対の導電金具５０をピン側面接触部５１が向き合うように回転子４０の円筒部４１の外側に配置し、ソケット本体３１の取付部３５とソケットカバー６０の爪部６１とが嵌合するように、ソケット本体３１にソケットカバー６０を取り付ける。
【００４４】
このように、給電側ソケット３０は一方向に順次組み立てられるので、組み立てが容易である。
【００４５】
以上のように、本実施の形態に係る給電側ソケット３０は、ソケット本体３１と、回転子４０と、１対の導電金具５０と、ソケットカバー６０とを備える。ソケット本体３１は、前面に開口部３２を有し、この開口部３２の内側に円周状に沿った案内リブ３３を備え、その案内リブ３３の途中の少なくとも４箇所以上に固定溝３４を有する。回転子４０は、ソケット本体３１の開口部３２に取り付けられ、直管形ＬＥＤランプ２０の給電ピン２６（ランプピン）が挿入されるピン挿入孔４３を有し、固定溝３４と相対する１対の凸部４４を有し、回転機構を有する。１対の導電金具５０は、回転子４０に給電ピン２６が挿入され、直管形ＬＥＤランプ２０を回転させたときに給電ピン２６の外側と接触するように、回転子４０の外側に配置される。ソケットカバー６０は、回転子４０と１対の導電金具５０とを保持し、ソケット本体３１に取り付けられる。
【００４６】
本実施の形態によれば、口金部と管が回転する機構のない一般に発売されている新型直管形ＬＥＤランプを使用し、新型直管形ＬＥＤランプをランプソケットに装着後、新型直管形ＬＥＤランプとランプソケット内部の導電金具５０が接続された状態で、新型直管形ＬＥＤランプの照射面をランプソケット本体の固定溝３４に合わせて動かすことができる。また、新型直管形ＬＥＤランプのランプピンがランプ軸方向にランプソケットへ挿入されるため、新型直管形ＬＥＤランプが落下することがない。
【００４７】
実施の形態２．
本実施の形態は、実施の形態１と導電金具５０が異なるものである。したがって、以下では、本実施の形態に係る導電金具５０の形状について、説明する。
【００４８】
図８は、給電側ソケット３０の分解斜視図である。図９は、給電側ソケット３０のソケットカバー６０を除いた背面図である。図１０は、給電ピン２６と導電金具５０との接続状態を示す部分断面図である。
【００４９】
本実施の形態において、導電金具５０は、図９のように回転子４０の円筒部４１の延びる方向と垂直な方向に延在し、円筒部４１の外周に沿って湾曲する円弧状の面であるピン先端接触部５３と、給電側ソケット３０の外部にある電子安定器等の電源出力部と電線を介して接続する速結端子５２とを有する。ピン先端接触部５３は、図１０のように給電ピン２６の抜け止め部２６ｂと面接触する。また、ピン先端接触部５３は、図６の（ａ）と同様の状態では回転子４０の周方向においてピン挿入孔４３と重ならない位置にあり、抜け止め部２６ｂと接続しない。ピン先端接触部５３は、直管形ＬＥＤランプ２０がランプ円周方向へ回転して、図６の（ｂ）〜（ｄ）と同様の状態になると給電ピン２６の抜け止め部２６ｂの外側面と接触して給電ピン２６と接続される。
【００５０】
ピン先端接触部５３は、バネ性を有しており、弾性変形可能である。直管形ＬＥＤランプ２０がランプ円周方向へ回転する際には、給電ピン２６の先端面（底面）がピン先端接触部５３を押して、ピン先端接触部５３が弾性変形しながら、給電ピン２６との接触状態を維持する。また、直管形ＬＥＤランプ２０が回転したとき、１対の給電ピン２６も回転するが、ピン先端接触部５３のバネ性により、ピン先端接触部５３が１対の給電ピン２６の回転に追随して接触状態を維持する。
【００５１】
以上説明したように、本実施の形態において、それぞれの導電金具５０には、回転子４０の周方向に沿って円弧状に湾曲するピン先端接触部５３（湾曲部の例）と、外部電源に電気的に接続される速結端子５２（端子部の例）とが一体に設けられる。１対の導電金具５０は、図９に示したように、互いに所定の間隙Ｇを空けて対向するようにソケット本体３１の内側に取り付けられる。
【００５２】
１対のピン挿入孔４３が回転子４０の周方向において所定の位置にある状態で開口部３２に直管形ＬＥＤランプ２０の給電側口金２４が挿入された場合、１対の給電ピン２６が１対のピン挿入孔４３に挿入されて所定の間隙Ｇ内に達する。この状態で直管形ＬＥＤランプ２０が回転された場合、回転子４０が回転して１対の給電ピン２６の先端がピン先端接触部５３に接触することで１対の給電ピン２６が速結端子５２と（さらに、速結端子５２を介して外部電源と）電気的に接続される。これにより、直管形ＬＥＤランプ２０が点灯可能となる。
【００５３】
本実施の形態によれば、実施の形態１と同様の効果が得られる。
【００５４】
以上、本発明の実施の形態について説明したが、本発明は、これらの実施の形態に限定されるものではなく、必要に応じて種々の変更が可能である。
【符号の説明】
【００５５】
１０  照明器具、１１  器具本体、１２  接地側ソケット、２０  直管形ＬＥＤランプ、２１  接地側口金、２２  ランプ受部、２３  接地ピン、２３ａ  円柱部、２３ｂ  楕円部、２４  給電側口金、２５  ランプ引っ掛け部、２６  給電ピン、２６ａ  軸部、２６ｂ  抜け止め部、３０  給電側ソケット、３１  ソケット本体、３２  開口部、３３  案内リブ、３４  固定溝、３５  取付部、４０  回転子、４１  円筒部、４２  受部、４３  ピン挿入孔、４４  凸部、４５  切欠部、５０  導電金具、５０ａ  前面、５０ｂ  後面、５１  ピン側面接触部、５２  速結端子、５３  ピン先端接触部、６０  ソケットカバー、６１  爪部。
【図１】
0005725991.tif 000002
【図２】
0005725991.tif 000003
【図３】
0005725991.tif 000004
【図４】
0005725991.tif 000005
【図５】
0005725991.tif 000006
【図６】
0005725991.tif 000007
【図７】
0005725991.tif 000008
【図８】
0005725991.tif 000009
【図９】
0005725991.tif 000010
【図１０】
0005725991.tif 000011